(57)【要約】【課題】  モジュール化された複写機における装置間の接続性とデータの伝送速度を簡易な構成によって向上させる。【解決手段】  画像入力装置１０は、制御装置３０との間でシリアル方式にて画像データおよび同期信号の送受信を行う津新ＩＦ１５を有し、制御装置３０は、画像入力装置１０との間でシリアル方式にて画像データおよび同期信号の送受信を行う通信ＩＦ３６を有する。この構成により、画像入力装置１０と制御装置３０との間で、シリアル方式にて画像データおよび同期信号の送受信を行わせる。【選択図】      図１
2005197977.tif 000002
【特許請求の範囲】
【請求項１】
画像データを用いた処理を行う処理手段と、該処理手段の制御を行う制御手段とを有する画像処理装置において、
前記処理手段は、前記制御手段との間でシリアル方式にて画像データおよび同期信号の送受信を行う第１の通信手段を有し、
前記制御手段は、前記処理手段との間でシリアル方式にて画像データおよび同期信号の送受信を行う第２の通信手段を有する
ことを特徴とする画像処理装置。
【請求項２】
前記第１の通信手段および前記第２の通信手段は、差動信号を用いて画像データおよび同期信号の送受信を行う差動通信手段を有し、
前記制御手段と前記処理手段とが前記差動通信手段を用いた通信を行うためのケーブルを有し、
前記ケーブルは、互いに撚り合わされた２本の信号線からなる信号線対と、１または複数の該信号線対を１組として被覆するシールドを有する
ことを特徴とする請求項１に記載の画像処理装置。
【請求項３】
前記信号線の各々を前記第１の通信手段および前記第２の通信手段に接続するためのコネクタを有し、
前記コネクタは、前記信号線の各々を接続するための複数の接点を有し、
前記信号線対を構成する２本の信号線の各々は、前記コネクタに設けられた互いに隣り合う２つの接点に接続されている
ことを特徴とする請求項２に記載の画像処理装置。
【請求項４】
前記処理手段にて処理されるべき画像データ、または前記処理手段にて処理された画像データの送受信を行わない期間においては、前記制御手段および前記処理手段は、前記第１の通信手段および前記第２の通信手段を用いたシリアル方式による通信を停止させる
ことを特徴とする請求項１に記載の画像処理装置。
【請求項５】
制御信号を伝送するためのより線対と、
前記ケーブルおよび前記より線対のすべてを１組として被覆する第２のシールドと
を有し、
前記ケーブルは、前記第２のシールドで覆われた空間内の略中央部を通過するように設けられている
ことを特徴とする請求項２に記載の画像処理装置。
【発明の詳細な説明】
【技術分野】
【０００１】
本発明は、画像処理装置の構成要素間でデータを伝送する技術に関する。
【背景技術】
【０００２】
近年、複写機の各部を機能別にモジュール化した複写機が供給されている。モジュール化された複写機は、例えば、原稿の画像を読み取って画像データを生成する画像入力装置、画像入力装置によって生成された画像データを用いて印刷を行う画像出力装置、複写機各部の制御を行う制御装置などからなり、これらの装置は通信手段によって接続され、互いの間で画像データや制御信号の送受信を行うように構成されている。このような構成によれば、例えば、画像入力装置の設計変更を行った際に、他の装置の設計や生産工程に及ぼす影響を小さくすることができるから、設計変更に伴うコストの低減を図ることができる。また、利用形態に応じたモジュールの組み合わせが可能となるため、ユーザの選択の幅が広がるという利点もある。
このようにモジュール化された複写機のモジュール間の通信に関して、種々の技術が提案されている（例えば、特許文献１）。特許文献１に記載の技術では、ＳＣＳＩ（Small Computer System Interface）規格に準拠した通信ＩＦ（Interface）を用いてモジュール間を通信可能に接続している。そして、画像入力装置と画像出力装置との動作を同期させることによって、画像の読み取りと形成を並行して行わせるように構成されている。
【０００３】
【特許文献１】特許第３２５２０２４号公報
【発明の開示】
【発明が解決しようとする課題】
【０００４】
ところが、特許文献１に記載の技術では、モジュール間の通信にＳＣＳＩ方式を用いているため、以下に示す問題を有している。ＳＣＳＩはバス幅が小さいため、通信速度を高速化することが難しい。そのため、画像入力／出力の処理速度を高めることが難しい。また、パラレル方式のＳＣＳＩは多数の信号線が必要となり、信号線の取り回しが複雑になる。また、消費電力、発熱が大きく、コストも高くなるため、長い距離の伝送には不向きである。
本発明は、上述した背景の下になされたものであり、モジュール化された複写機における装置間の接続性とデータの伝送速度を簡易な構成によって向上させることのできる技術の提供を目的とする。
【課題を解決するための手段】
【０００５】
上述の課題を解決するために、本発明は、画像データを用いた処理を行う処理手段と、該処理手段の制御を行う制御手段とを有する画像処理装置において、前記処理手段は、前記制御手段との間でシリアル方式にて画像データおよび同期信号の送受信を行う第１の通信手段を有し、前記制御手段は、前記処理手段との間でシリアル方式にて画像データおよび同期信号の送受信を行う第２の通信手段を有することを特徴とする画像処理装置を提供する。この画像処理装置によれば、処理手段と制御手段とが互いの間でシリアル方式にて画像データおよび同期信号の送受信を行うから、少ない信号線で高速な伝送を行うことができる。
【０００６】
また、前記第１の通信手段および前記第２の通信手段は、差動信号を用いて画像データおよび同期信号の送受信を行う差動通信手段を有し、前記制御手段と前記処理手段とが前記差動通信手段を用いた通信を行うためのケーブルを有し、前記ケーブルは、互いに撚り合わされた２本の信号線からなる信号線対と、１または複数の該信号線対を１組として被覆するシールドを有することが好ましい。この構成によれば、各々を構成するより線対がシールドで覆われているため、外部からのノイズを受けにくく、信号とＧＮＤ（グラウンド）間の静電容量が安定するため、スキューの少ない伝送が可能となる。
さらに、前記信号線の各々を前記第１の通信手段および前記第２の通信手段に接続するためのコネクタを有し、前記コネクタは、前記信号線の各々を接続するための複数の接点を有し、前記信号線対を構成する２本の信号線の各々は、前記コネクタに設けられた互いに隣り合う２つの接点に接続されていることが好ましい。この構成によれば、信号線対を構成する２本の信号線の各々が隣り合う２つの接点に接続されているから、２本の信号線の線長を等しくすることが容易となるため、スキューの少ない伝送が可能となる。
別の好ましい態様においては、前記処理手段にて処理されるべき画像データ、または前記処理手段にて処理された画像データの送受信を行わない期間においては、前記制御手段および前記処理手段は、前記第１の通信手段および前記第２の通信手段を用いたシリアル方式による通信を停止させることが好ましい。この構成によれば、無効な画像データの送受信が停止されるから、消費電力の低減が可能となる。
また、制御信号を伝送するためのより線対と、前記ケーブルおよび前記より線対のすべてを１組として被覆する第２のシールドとを有し、前記ケーブルは、前記第２のシールドで覆われた空間内の略中央部を通過するように設けられていることも好ましい。この構成によれば、信号線対の線長差を小さくなくから、スキューの少ない伝送が可能となる。
【発明の効果】
【０００７】
本発明によれば、モジュール化された複写機における装置間の接続性とデータの伝送速度を簡易な構成によって向上させることができる。
【発明を実施するための最良の形態】
【０００８】
以下、図面を参照して、本発明の実施の形態について説明する。
＜構成＞
図１は、本発明にかかる画像処理装置１００の構成を示す図である。画像処理装置１００の主要な構成要素は、画像入力装置（処理手段）１０、制御装置（制御手段）３０、画像出力装置（処理手段）５０である。画像入力装置１０、制御装置３０、画像出力装置５０は、それぞれ通信手段を有し、画像入力装置１０と制御装置３０との間、および画像出力装置５０と制御装置３０との間は通信可能に接続されている。本発明は、この通信手段の構成に特徴を有している。
なお、以下の説明においては、主に、画像入力装置１０と制御装置３０との間の通信手段について説明する。
【０００９】
画像入力装置１０は、原稿の画像を読み取り、読み取られた画像を表す画像データを生成するスキャナ装置である。画像入力装置１０は、ＣＰＵ（Central Processing Unit）１４を備え、ＣＰＵ１４は、図示せぬメモリに記憶されたプログラムを実行することによって画像入力装置１０各部の制御を行う。画像入力装置１０は、ＡＤＦ（Auto Document Feeder）１１を備え、ＡＤＦ１１は、ＡＤＦ１１上に載置された原稿を図示せぬプラテンガラス上に１枚ずつ搬送する。画像入力装置１０は、プラテンガラス上に搬送された原稿の読み取り面に光源１２を用いて光を照射し、その反射光をＣＣＤ（Charge Coupled Device）１３で撮像することによって画像を読み取る。そして、読み取られた画像を表す画像データを生成する。この画像データは、画素の各々に対応して生成され、Ｙ（イエロー）、Ｍ（マゼンタ）、Ｃ（シアン）、Ｋ（ブラック）の各色の階調を表す階調データと、１ページ分の画像データの開始点を表すタグデータとからなる。階調データは各色８ビット、タグデータは各色２ビットのデジタルデータからなるため、１画素あたり合計４０ビットのデータが生成されることとなる。画像入力装置１０は通信ＩＦ１５を備え、この通信ＩＦ１５を用いて制御装置３０との間でデータの送受信を行う。
なお、同図では、プラテン面状に原稿を引き込んでスキャンして原稿を読み取る方式について説明したが、読取装置を移動させずに原稿を搬送しながら原稿を読み取る方式のＡＤＦを用いてもよい。
【００１０】
制御装置３０は、ＣＰＵ３１、ＲＯＭ（Read Only Memory）３２、ＲＡＭ（Random Access Memory）３３を備え、ＲＯＭ３２に記憶されたプログラムをＣＰＵ３１が読み出し、これをＲＡＭ３３上に展開して実行することによって種々の処理を行う装置である。制御装置３０は、ＵＩ（User Interface）部３４を備え、操作者がＵＩ部３４を操作して入力した指示に従って、画像入力装置１０および画像出力装置５０との間での画像データの送受信などの処理を行う。制御装置３０は、ＨＤＤ（Hard Disk Drive）からなる画像メモリ３５を備え、画像入力装置１０から送信された画像データを受信して、画像メモリ３５に格納する。また、制御装置３０は、画像メモリ３５に格納されている画像データを読み出して画像出力装置５０に送信する。制御装置３０は通信ＩＦ３６を備え、この通信ＩＦ３６を用いて画像入力装置１０および画像出力装置５０との間で画像データの送受信を行う。
【００１１】
次に、画像入力装置１０および制御装置３０が各々備える通信ＩＦ１５、通信ＩＦ３６の構成について説明する。図２は、通信ＩＦ１５および通信ＩＦ３６の構成を示す図である。通信ＩＦ１５はＬＶＤＳドライバ（第１の通信手段）１５１を有し、通信ＩＦ３６はＬＶＤＳレシーバ（第２の通信手段）３６１を有している。ＬＶＤＳドライバ１５１およびＬＶＤＳレシーバ３６１は、小振幅の差動信号を用いてデータを送受信するＬＶＤＳ（Low Voltage Differential Signaling：低電圧差動通信）方式によって画像データの送受信を行う。また、ＬＶＤＳドライバ１５１は、ＣＰＵ１４による制御のもとで、パラレル信号をシリアル信号に変換するパラレル・シリアル変換部として機能する。ＬＶＤＳレシーバ３６１は、ＣＰＵ３１による制御のもとで、シリアル信号をパラレル信号に変換するシリアル・パラレル変換部として機能する。
また、通信ＩＦ１５および通信ＩＦ３６は、例えばＲＳ−４２２（Recommended Standard 422）に準拠したシリアル通信を行うための送受信部１５３および送受信部３６３をそれぞれ備えている。さらに、通信ＩＦ１５および通信ＩＦ３６は、後述するホットラインを用いた信号の送受信をおこなうための送受信部１５４および送受信部３６４をそれぞれ備えており、一般的にはトランジスタのオープンコレクタ方式が使われる。
【００１２】
通信ＩＦ１５は、互いに対をなすコネクタ１５２ａとコネクタ１５２ｂを介してケーブル６０に接続され、通信ＩＦ３６は、互いに対をなすコネクタ３６２ａとコネクタ３６２ｂを介してケーブル６０と接続されている。コネクタ１５２ａは通信ＩＦ１５に、コネクタ３６２ａは通信ＩＦ３６に設けられている。コネクタ１５２ｂ、コネクタ３６２ｂはケーブル６０の両端に設けられている。これ以降、コネクタ１５２ａとコネクタ１５２ｂの対をコネクタ対１５２、コネクタ３６２ａとコネクタ３６２ｂの対をコネクタ対３６２と呼ぶ。
【００１３】
ここで、画像入力装置１０と制御装置２０との間で送受信される信号について説明する。図３は、画像入力装置１０と制御装置２０との間で送受信される信号を示す図である。ＰＳＹＮＣ、ＬＳＹＮＣ、ＶＣＬＫは同期信号である。ＰＳＹＮＣは１ページ分の画像データの伝送期間を表す同期信号であり、ＬＳＹＮＣは１ライン分の画像データの伝送期間を表す同期信号である。ＶＣＬＫはクロック信号である。本実施形態においては、クロック信号の周波数は６５ＭＨｚを用いることとする。ＶＤはビデオデータであり、上述した画像データ、タグデータ等が含まれている。上記の同期信号ＰＳＹＮＣ、ＬＳＹＮＣ、ＶＣＬＫおよびビデオデータＶＤは、画像入力装置１０の通信ＩＦ１５の前段においてはパラレル方式で伝送されるが、通信ＩＦ１５に供給されたこれらの信号はＬＶＤＳドライバ１５１によってシリアル信号に変換され、制御装置３０へ送信される。画像入力装置１０から送信された同期信号ＰＳＹＮＣ、ＬＳＹＮＣ、ＶＣＬＫおよびビデオデータＶＤが制御装置３０に受信されると、これらの信号はＬＶＤＳレシーバ３６１によってパラレル信号に変換され、画像メモリ３５に格納される。
【００１４】
ＣＭＤは、制御装置３０が画像入力装置１０に対して行う指示を表すコマンドである。制御装置３０から送信されたコマンドＣＭＤを受信すると、画像入力装置１０は、画像入力装置１０の状態を表す応答ＳＴＳを制御装置３０に送信する。制御装置３０は、画像入力装置１０から送信された応答ＳＴＳを受信すると、応答ＳＴＳが表す画像入力装置１０の状態に応じて、後続の処理を行うための指示を表す信号を画像入力装置１０に送信する、あるいは、待機するなどの判断を行う。コマンドＣＭＤおよび応答ＳＴＳは、通信ＩＦ１５、通信ＩＦ３６が備えるＲＳ−４２２準拠の通信手段によって送受信される。
【００１５】
ホットラインは、即時性を要求される信号を送受信するための手段である。例えば、画像入力装置１０は、紙幣の複写を防止する機能を備えている。紙幣の複写を防止するために画像入力装置１０は、読み取られた原稿が紙幣であるか否かを判定し、紙幣であると判定されたならば画像処理装置１００の動作を停止させる。ここで、画像処理装置１００各部の処理は高速で行われるため、コマンドの送信、コマンドに対する応答といった手順を踏んでいると、その間に紙幣の画像が出力されてしまう。このため、画像入力装置１０は、専用の信号線であるホットラインを用いて画像処理装置１００の停止を指示する信号を送信することにより、画像処理装置１００の動作を即座に停止させるようになっている。ホットラインは、上記の紙幣の判定のほか、ウォーターマーキングの検出信号の送受信、通信回線を介してダウンロードしたプログラムの転送などにも用いられる。
なお、上述したコマンドＣＭＤ、応答ＳＴＳ、ホットラインを介して送受信される信号を、「制御信号」と総称する。
【００１６】
ところで、上述した種々の信号のうち、データ量の最も大きなものはビデオデータＶＤである。従来の画像処理装置においては、画像入力装置による原稿の読み取りが行われていない期間においても、無効なビデオデータが常時、画像入力装置から送信されていた。本実施形態においては、画像入力装置１０による原稿の読み取りが行われていない期間においては、無効なビデオデータおよびこれに伴う同期信号の伝送を停止させる。
次に、通信ＩＦ１５と通信ＩＦ３６とを接続するケーブル６０について説明する。図４は、ケーブル６０の断面図である。信号線６１は、導体６２と導体６２を被覆する絶縁体６３とからなり、ケーブル６０は、互いに撚り合わされた１対の信号線６１と１本のドレイン線６４を１組とし、これらをシールド６５で被覆することによって構成されている。このシールド６５によって、ケーブル６０内部の信号線６１が外界の電磁波から遮蔽される。このケーブル６０は、１対のより線対がシールドで覆われているため、外部からのノイズを受けにくく、信号とＧＮＤ（グラウンド）間の静電容量が安定するためスキューのばらつきが小さく、長距離の伝送にも適している。
【００１７】
なお、上記に例示した以外のケーブルを用いることも可能である。図５は、ケーブル７０の断面図である。このケーブル７０は、２対の信号線と１本のドレイン線を１組とし、これらをシールドすることによって１本のケーブルを構成したものである。２対の信号線の各々は互いに撚り合わされている。
なお、上記のケーブル６０、ケーブル７０の代わりに、より対線を用いてもよい。
【００１８】
次に、コネクタ対１５２、コネクタ対３６２のピン配置について説明する。コネクタ１５２対とコネクタ対３６２は同一のピン配置を有するから、ここではコネクタ対１５２について説明する。図６は、コネクタ対１５２のピン配置を示す図である。同図に示されるように、このコネクタ対１５２は、５０本のピンを有し、これらのピンが千鳥状に設けられている。本実施形態では、信号線とピンの対応を説明するために、図示されているようにピンの各々に番号が与えられている。この例では、上２列のピンに１番から２５番が、下２列のピンに２６番から５０番が与えられている。これらのピンには、各々１本の信号線が接続される。ピンと信号線の対応については後述する。
【００１９】
ところで、本実施形態においては、上述したように同期信号ＰＳＹＮＣ、ＬＳＹＮＣ、ＶＣＬＫおよびビデオデータＶＤをシリアル方式により伝送するが、このシリアル伝送は１０対の信号線を用いて行われる。図７は、１０対の信号線によって伝送される信号を示す図である。同図に示されるように、１０対の信号線は、５対ずつの２系統に分けられている。第１の系統はＳｅｒｉａｌ−Ａ１、Ｓｅｒｉａｌ−Ｂ１、Ｓｅｒｉａｌ−Ｃ１、Ｓｅｒｉａｌ−Ｄ１およびＳｅｒｉａｌ−ＣＬＫ１の５対の信号線からなり、第２の系統はＳｅｒｉａｌ−Ａ２、Ｓｅｒｉａｌ−Ｂ２、Ｓｅｒｉａｌ−Ｃ２、Ｓｅｒｉａｌ−Ｄ２およびＳｅｒｉａｌ−ＣＬＫ２の５対の信号線からなる。１０対の信号線のうち２対は、クロック信号を伝送するために割り当てられている（Ｓｅｒｉａｌ−ＣＬＫ１、Ｓｅｒｉａｌ−ＣＬＫ２）。残りの８対が、同期信号ＰＳＹＮＣおよびＬＳＹＮＣ、ビデオデータＶＤの伝送に割り当てられている。ＬＶＤＳドライバ１５１は、同期信号ＰＳＹＮＣおよびＬＳＹＮＣ、ビデオデータＶＤを所定の手順に従ってシリアル化し、８対の信号線に送出する。なお、高速・高画質のカラー画像読取装置の場合には、２系統の信号線全部を使用してデータの伝送を行うが、モノクロ画像、カラーの低ビット画像、解像度や速度を落としての伝送の場合には、第１の系統のみを使用して伝送を行う。このようにすることにより、処理手段と制御手段の少なくとも片側だけを第１の系統のみの接続とすればよく、共通化と低コスト化を図ることができる。
【００２０】
次に、コネクタ対１５２のピンと信号線との対応付けについて説明する。図８は、ピンと信号線の対応付けを示す図である。なお、同図は、１対の信号線と１本のドレイン線とで構成されたケーブル（図４参照）を用いた場合について示している。図８において、例えば、Ｓｅｒｉａｌ−Ｂ１−とＳｅｒｉａｌ−Ｂ１＋は図７におけるＳｅｒｉａｌ−Ｂ１に対応するマイナスとプラスの差動信号を表している。同図に示されるように、Ｓｅｒｉａｌ−Ｂ１−は１番ピンに、Ｓｅｒｉａｌ−Ｂ１＋は２番ピンに対応付けられている。図６によると、１番ピンと２番ピンは隣り合って設けられている。このように、１対の差動信号に対応する信号線を隣り合うピンに接続する。Ｓｅｒｉａｌ−Ａ１、Ｃ１、Ｄ１、ＣＬＫ１、Ａ２、Ｂ２、Ｃ２、Ｄ２、ＣＬＫ２についても同様である。なお、同図において、太線で囲まれた欄の各々が１本のケーブルに対応している。例えば、１番、２番および３番のピンが１本のケーブルに対応している。また、ＧＮＤ（グラウンド）とＴＴＬ２乃至７の各々を対にしてそれぞれ１対の信号線（より対線）に割り当てる。さらに、残りのＴＴＬ１とＴＴＬ８を対にして１対の信号線（より対線）に割り当てる。この例では、１０本のケーブル（１対の信号線と１本のドレイン線とで構成）と１０組のより対線が用いられることとなる。また、ＲＳ−４２２規格に従って伝送される差動信号についても同様に、１対の差動信号に対応する信号線を隣り合うピンに接続する（ＲＳ−４２２＿Ａ−とＲＳ−４２２＿Ａ＋など）。なお、図示しないが、より対線や各々がシールドで覆われたより対線は、全てをまとめてさらにシールド（第２のシールド）で覆われて１本のケーブルとなる。
【００２１】
従来行われていたパラレル方式の伝送においては、ケーブルの太さによる多ビット化の限界や、発熱による高速化の限界があるため、９０本の信号線と最大４５ＭＨｚ程度のクロック周波数を用いていた。このクロック周波数でＲＧＢ各８ｂｉｔ（＝１ｂｙｔｅ）のデータを伝送する場合、伝送速度は、４５ＭＨｚ×３ｂｙｔｅ＝１３５Ｍｂｙｔｅ／ｓｅｃである。
これに対して、上述の実施形態によれば、５０本の信号線を用い、クロック周波数６５ＭＨｚを用いる。上述のように、画像データとタグデータの合計が４０ｂｉｔ（＝５ｂｙｔｅ）であるから、伝送速度は、６５ＭＨｚ×５ｂｙｔｅ＝３２５Ｍｂｙｔｅ／ｓｅｃとなる。このように、本発明によれば、従来よりも信号線の数を少なくするとともに、伝送速度を高めることが可能となる。
【００２２】
図９は、２対の信号線と１本のドレイン線とで構成されたケーブル（図５参照）を用いた場合について、ピンと信号線の対応付けを示した図である。同図においても、太線で囲まれた欄の各々が１本のケーブルに対応している。例えば、１番、２番、３番、４番および５番のピンが１本のケーブルに対応している。この例においても、上記の例と同様に、１対の差動信号に対応する信号線を隣り合うピンに接続する（例えば、Ｓｅｒｉａｌ−Ｂ１−を１番ピンに、Ｓｅｒｉａｌ−Ｂ１＋を２番ピンに接続）。６番ピンと１２番ピン、１８番ピンと２５番ピン、３１番ピンと３７番ピンは、それぞれ１対の信号線に割り当てる。この例においては、５本のケーブル（２対の信号線と１本のドレイン線とで構成）と１２組のより対線が用いられることとなる。なお、３８番ピンは使用されない。
【００２３】
図１０は、すべての信号の伝送をより対線を用いて行う場合のピンと信号線の対応を示す図である。同図においては、太線で囲まれた欄の各々が１対の信号線（より対線）に対応している。この例においても、１対の差動信号に対応する信号線を隣り合うピンに接続する（例えば、Ｓｅｒｉａｌ−Ｂ１−を１番ピンに、Ｓｅｒｉａｌ−Ｂ１＋を２番ピンに接続）。３番ピンと６番ピン、９番ピンと１２番ピン、１５番ピンと１８番ピン、２８番ピンと３１番ピン、３４番ピンと３７番ピンは、それぞれ１対の信号線に割り当てる。この例においては、２５組のより対線が用いられることとなる。
さらに、前述の３つの方式において、低スキューが要求されるシリアル信号を伝送するための信号線をケーブル断面内の略中央に配し、コネクタの中央部に位置するピンに接続する。また、その他の信号線をケーブル周面近傍に配置し、コネクタの端部に位置するピンに接続する。これによって、各々のより対線間の線長差を小さくし、スキュー量を小さくすることができる。その際もクロック信号はより対線の線長の最大値と最小値の中間値となるようにするのが望ましい。
【００２４】
なお、上記の説明においては、画像入力装置１０と制御装置３０との間のデータの送受信について説明したが、本発明は、画像出力装置５０と制御装置３０との間のデータの送受信に適用してもよいことはもちろんである。この場合、制御装置３０は上述したＬＶＤＳドライバ１５１を有し、画像出力装置５０は上述したＬＶＤＳレシーバ３６１を有する。この構成によって、同期信号ＰＳＹＮＣ、ＬＳＹＮＣ、ＶＣＬＫおよびビデオデータＶＤが制御装置３０から画像出力装置５０に送信される。また、上述の例と同様に、画像出力装置５０による画像出力を行わない期間においては、無効なビデオデータおよびこれに伴う同期信号の伝送を停止させるものとする。
【００２５】
以上説明したように、本実施形態によれば、処理手段は、制御手段との間でシリアル方式にて画像データおよび同期信号の送受信を行う第１の通信手段を有し、制御手段は、処理手段との間でシリアル方式にて画像データおよび同期信号の送受信を行う第２の通信手段を有する。この構成によれば、制御手段と処理手段との間で画像データおよび同期信号をシリアル方式によって伝送するから、少ない信号線で、高速な伝送を行うことができる。
【００２６】
また、互いに撚り合わされた２本の信号線からなる信号線対と、１または複数の該信号線対を１組として被覆するシールドを有するケーブルを用いるから、外部からのノイズを受けにくく、スキューの少ない伝送が可能となる。さらに、信号線対を構成する２本の信号線の各々は、コネクタに設けられた互いに隣り合う２つの接点に接続されているから、スキューの少ない伝送が可能となる。また、処理手段にて処理されるべき画像データ、または処理手段にて処理された画像データの送受信を行わない期間においては、制御手段および処理手段は、第１の通信手段および第２の通信手段を用いたシリアル方式によるデータ伝送を停止させる。この構成によれば、画像読取時以外はデータの送受信が行われないから、消費電力の低減が可能となる。
【００２７】
＜変形例＞
以上説明した形態に限らず、本発明は種々の形態で実施可能である。例えば、上述の実施形態を以下のように変形した形態でも実施可能である。
上述の実施形態においては、画像入力装置、制御装置、画像出力装置からなる画像処理装置の例を用いて説明したが、本発明は、他の形態の画像処理装置に適用してもよい。例えば、画像を作成するためのアプリケーションプログラムを実行可能なコンピュータ装置、画像データを用いて画像を表示する表示装置など、他の装置との間で画像データの伝送を行う装置であれば、いかなる装置を備えていてもよい。
上述の実施形態においては、制御装置が画像メモリを備えた構成としているが、制御装置と別体の記憶装置に画像データを格納することとしてもよい。この場合、記憶装置と制御装置との間の通信方式は任意である。また、通信回線で接続されたコンピュータ装置に画像データを格納することとしてもよい。
【図面の簡単な説明】
【００２８】
【図１】画像処理装置１００の構成を示す図である。
【図２】通信ＩＦ１５および通信ＩＦ３６の構成を示す図である。
【図３】画像入力装置１０と制御装置２０との間で送受信される信号を示す図である。
【図４】ケーブル６０の断面図である。
【図５】ケーブル７０の断面図である。
【図６】コネクタ対１５２のピン配置を示す図である。
【図７】１０対の信号線によって伝送される信号を示す図である。
【図８】ピンと信号線の対応付けを示す図である。
【図９】ピンと信号線の対応付けを示す図である。
【図１０】ピンと信号線の対応付けを示す図である。
【符号の説明】
【００２９】
１０…画像処理装置、１１…ＡＤＦ、１２…光源、１３…ＣＣＤ、１４…ＣＰＵ，１５…通信ＩＦ，１６…ＲＯＭ、１７…ＲＡＭ、１５１…ＬＶＤＳドライバ、１５２ａ、１５２ｂ…コネクタ、１５３…送受信部、１５４…送受信部、
３０…制御装置、３１…ＣＰＵ、３２…ＲＯＭ、３３…ＲＡＭ、３４…ＵＩ部、３５…画像メモリ、３６…通信ＩＦ，３６１…ＬＶＤＳレシーバ、３６２ａ、３６２ｂ…コネクタ、３６３…送受信部、３６４…送受信部、
５０…画像出力装置、
６０…ケーブル、６１…信号線、６２…導体、６３…絶縁体、６４…ドレイン線、６５…シールド。
【図１】
2005197977.tif 000003
【図２】
2005197977.tif 000004
【図３】
2005197977.tif 000005
【図４】
2005197977.tif 000006
【図５】
2005197977.tif 000007
【図６】
2005197977.tif 000008
【図７】
2005197977.tif 000009
【図８】
2005197977.tif 000010
【図９】
2005197977.tif 000011
【図１０】
2005197977.tif 000012